(57)【特許請求の範囲】
【請求項１】
Ｕ字状に湾曲したスタンド脚部を備え、該スタンド脚部は、シートクッションを車体フロアーのフロアー面上に立付け支持可能に、且つ、シートクッションの下部に回転させて折畳み収納可能に備えるスタンド脚部付き折畳み式シートにおいて、
左右のサイドプレートを有する横断面略コの字状のブラケットプレートをシートクッションフレームの両サイド下部に取付け固定し、
前記スタンド脚部は、前記各ブラケットプレートに対し、前記Ｕ字の各軸端部を前記サイドプレートの間に挿置すると共に、該各軸端部近くの軸線部に挿通する支軸を前記サイドプレートの間に掛渡し固定し、該支軸を支点に回転自在に取り付け、
前記各ブラケットプレートは、ゴム弾性体のダンパーを前記支軸の取付け位置よりも下部前側に位置させて前記サイドプレートの間に備え、
前記ダンパーは、前記サイドプレートの間に亘るストッパー部と、前記サイドプレートの前部から下部に亘る張出し部を有し、
前記ストッパー部は、前記スタンド脚部を立付け姿勢に受止め支持する支え部とし、前記張出し部は、スタンド脚部の折畳み収納状態にあるシートクッションが前倒れするに伴って車体フロアーのフロアー面に当接する緩衝部として設けたことを特徴とするスタンド脚部付き車両用折畳み式シート。
【請求項２】
上記ダンパーは、上記ストッパー部に埋込み装着した補強ピンを上記サイドプレートの間に掛渡し固定させて上記ブラケットプレートに取付け固定してなることを特徴とする請求項１に記載のスタンド脚部付き折畳み式シート。
【発明の詳細な説明】
【０００１】
【発明の属する技術分野】
本発明は、スタンド脚部付き折畳み車両用シートの改良に関するものである。
【０００２】
【従来の技術】
従来、車両用シート等としては、図７で示すようなシートバック１とシートクッション２とをリクライニング機構３で連結し、シートクッション２の前部寄りをスタンド脚部４で車体フロアーのフロアー面上に立付け支持するものが装備されている。このスタンド脚部４は、軸端部をシートクッションフレームの両サイド前寄り下部に取付け固定するブラケットプレート５ａ，５ｂで軸承支持することにより、シートクッション２の下部に折畳み収納可能に備え付けられている。
【０００３】
そのスタンド脚部付き折畳み式シートにおいては、スタンド脚部４の軸線部をブラケットプレート５ａ，５ｂの前壁部で受け止めることから、スタンド脚部４を立付け姿勢に支持するよう構成されている。然し、このスタンド脚部４では折畳み操作時及び走行中の振動に伴って軸線部がブラケットプレートの前壁部と擦れ合うことにより異音が発生し、また、スタンド脚部乃至はブラケットプレートの傷付きによる錆等を生じ易い。
【０００４】
【発明が解決しようとする課題】
本発明は、スタンド脚部の立付け姿勢時及び折畳み収納時においても、異音が発生するのを防げると共に、スタンド脚部等の傷付きや錆等の発生をも防げ、また、スタンド脚部の立付け姿勢を安定よく保てるスタンド脚部付き折畳み式シートを提供することを目的とする。
【０００５】
【課題を解決するための手段】
本願の請求項１に係るスタンド脚部付き折畳み式シートにおいては、Ｕ字状に湾曲したスタンド脚部を備え、該スタンド脚部は、シートクッションを車体フロアーのフロアー面上に立付け支持可能に、且つ、シートクッションの下部に回転させて折畳み収納可能に備えるもので、
左右のサイドプレートを有する横断面略コの字状のブラケットプレートをシートクッションフレームの両サイド下部に取付け固定し、
スタンド脚部は、各ブラケットプレートに対し、Ｕ字の各軸端部をサイドプレートの間に挿置すると共に、各軸端部近くの軸線部に挿通する支軸をサイドプレートの間に掛渡し固定し、支軸を支点に回転自在に取り付け、
各ブラケットプレートは、ゴム弾性体のダンパーを支軸の取付け位置よりも下部前側に位置させてサイドプレートの間に備え、
ダンパーは、サイドプレートの間に亘るストッパー部と、サイドプレートの前部から下部に亘る張出し部を有し、
ストッパー部は、スタンド脚部を立付け姿勢に受止め支持する支え部とし、張出し部は、スタンド脚部の折畳み収納状態にあるシートクッションが前倒れするに伴って車体フロアーのフロアー面に当接する緩衝部として設けることにより構成されている。
【０００６】
本願の請求項２に係るスタンド脚部付き折畳み式シートにおいては、ダンパーは、ストッパー部に埋込み装着した補強ピンをサイドプレートの間に掛渡し固定させてブラケットプレートに取付け固定することにより構成されている。
【０００７】
【発明の実施の形態】
以下、図１〜６を参照して説明すると、図示のスタンド脚部付きシートは図７で示すものと同様に、シートクッション２の前部寄りを車体フロアーＦのフロアー面上に立付け支持するスタンド脚部４を備え、シートクッション２をシートバック１にあてがうよう折畳み可能に組み立てると共に、スタンド脚部４をシートクッション２の下部に折畳み収納可能に備えることにより、全体的に折畳み可能な軽トラックのアシスタントシート用として構成されている。
【０００８】
スタンド脚部４としては、金属製のパイプ部材をＵ字状に湾曲成形したものが備えられている。そのスタンド脚部４は、図１で示すようにシートクッションフレーム１０の両サイド前寄り下部に取付け固定するブラケットプレート１１(片側のみ図示)で軸承支持されている。ブラケットプレート１１には、スタンド脚部４の軸線部を軸承支持する支軸１２の取付け位置よりも下部前側に位置させて、スタンド脚部４を立付け姿勢に受止め支持するダンパー１３が備え付けられている。
【０００９】
ブラケットプレート１１としては、図２で示すように左右の相対するサイドプレート１１ａ，１１ｂを有する横断面略コの字状に折曲げ形成された金属製のものが備え付けられている。このブラケットプレート１１に対し、スタンド脚部４は各軸端部をサイドプレート１１ａ，１１ｂの間に挿置し、サイドプレート１１ａ，１１ｂの間に掛渡し固定する支軸１２を各軸端部近くの軸線部に挿通することにより回転自在に軸承支持されている。
【００１０】
ダンパー１３としては、ゴム弾性体でなるものが備え付けられている。そのダンパー１３には、図３，図４で示すようにスタンド脚部４の軸線部を受止め支持するストッパー部として円筒部１３ａが設けられている。この円筒部１３ａには、ダンパー全体をサイドプレート１１ａ，１１ｂの間に掛渡し固定する支軸を兼ねて、割ピン等の補強ピン１３ｂがスタンド脚部４の軸線部と直交方向に埋込み装着されている。
【００１１】
ダンパー１３には、サイドプレート１１ａ，１１ｂの片側と前部から下部の縁周りに亘って嵌り合う張出し部１３ｃが設けられている（図１参照）。この張出し部１３ｃは、後述するようにシートクッション２を不用意に前倒しした際の傷付け防止用緩衝として設けられている。
【００１２】
そのダンパー１３は右サイド，左サイド用として対称構造に形成し、シートクッションフレーム１０の両サイド前寄り下部に取付け固定する各ブラケットプレート１１のサイドプレート１１ａ，１１ｂに取り付けられている。各ブラケットプレート１１は、天板部に挿通される締付けボルト１４(図１参照)でシートクッションフレームに取付け固定されている。
【００１３】
このように構成するスタンド脚部付き折畳み式シートでは、シートクッション２を車体フロアーＦのフロアー面上に立付け支持するときにはダンパー１３の円筒部１３ａがスタンド脚部４の軸線部に当たって受止め支持するところから、走行中の振動に伴って擦れ合っても異音が発生するのを防げ、また、スタンド脚部４乃至はブラケットプレート１１の傷付きは勿論、それによる錆等も生じない。
【００１４】
そのスタンド脚部４は、軸線部がブラケットプレート１１に軸承支持する支軸１２の取付け位置よりも下部前側に位置するダンパー１３の円筒部１３ａで受止め支持されるから立付け姿勢を安定よく保てる。このスタンド脚部４の立付け姿勢では、車体フロアーＦにおける接地点が支軸１２による軸承位置よりも多少前方に位置するようダンパー１３の取付け位置を設定するとよい。
【００１５】
それに加えて、ダンパー１３の円筒部１３ａにはダンパー全体をサイドプレート１１ａ，１１ｂの間に掛渡し固定する支軸を兼ねた割ピン等の補強ピン１３ｂがスタンド脚部４の軸線部と直交方向に埋込み装着されているため、スタンド脚部４をより安定よく立付け姿勢に受止め支持することができる。
【００１６】
このスタンド脚部付き折畳み式シートは、図５で示すようにシートクッション２をシートバック１にあてがうよう折畳み可能に組み立てると共に、スタンド脚部４をシートクッション２の下部に折畳み収納可能に備えることにより全体的に折畳み収納することができる。スタンド脚部４の折畳み収納状態からスタンド脚部４を立て付けないでシートクッション２を前倒しにしても、図６で示すようにダンパー１３の張出し部１３ｃが車体フロアーＦのフロアー面に当接することによりシートクッション等の傷付けも防げる。
【００１７】
ブラケットプレート１１を含むスタンド脚部４の軸承部は、図１並びに図６で示すように樹脂製のカバー１５を組付けて被うことができる。この場合でも、ダンパー１３の張出し部１３ｃが外部に突出位置するよう組み立てるとよい。
【００１８】
【発明の効果】
以上の如く、本願の請求項１に係るスランド脚部付き折畳み式シートに依れば、スタンド脚部をブラケットプレートに軸承支持する支軸の取付け位置よりも下部前側に位置させてスタンド脚部を立付け姿勢に受止め支持するゴム弾性体のダンパーをブラケットプレートに備え付けることにより、シートクッションを車体フロアーのフロアー面上に立付け支持するときにはダンパーがスタンド脚部の軸線部に当たって受止め支持するところから、走行中の振動に伴って擦れ合っても異音が発生するのを防げ、スタンド脚部乃至はブラケットプレートの傷付きやそれによる錆等が発生するのを防ぐことができる。
【００１９】
また、スタンド脚部の折畳み収納状態からスタンド脚部を立て付けないでシートクッションを前倒しにしても、ダンパーの張出し部が車体フロアーのフロアー面に当接することにより、シートクッション等の傷付けも防げる。
【００２０】
本願の請求項２に係るスタンド脚部付き折畳み式シートに依れば、補強ピンをスタンド脚部の軸線部と直交方向に埋込み装着したダンパーを備え付けることから、スタンド脚部をより安定よく立付け姿勢に受止め支持することができる。
【図面の簡単な説明】
【図１】  本発明に係るスタンド脚部付き折畳み式シートのフレーム構造を示す側面図である。
【図２】  図１のフレーム構造をスタンド脚部の軸承部で示す部分斜視図である。
【図３】  図１のフレーム構造に備え付けられるダンパーを示す側面図である。
【図４】  図３のダンパーを示す正面図である。
【図５】  本発明に係るスタンド脚部付き折畳みシートを全体的に折畳んで示す斜視図である。
【図６】  本発明に係るスタンド脚部付き折畳み式シートの利点を示す説明図である。
【図７】  一般例に係るスタンド脚部付き折畳み式シートを示す説明図である。
【符号の説明】
２                シートクッション
４                スタンド脚部
１０              シートクッションフレーム
１１              ブラケットプレート
１２              スタンド脚部の支軸
１３              ダンパー
１３ａ            ストッパー部
１３ｂ            補強ピン
１３ｃ            張出し部
Ｆ                車体フロアー
【図１】
0004446096.tif 000002
【図２】
0004446096.tif 000003
【図３】
0004446096.tif 000004
【図４】
0004446096.tif 000005
【図５】
0004446096.tif 000006
【図６】
0004446096.tif 000007
【図７】
0004446096.tif 000008